(57)【要約】【課題】簡単かつ低コストな構造でフィーダを逆回転させることができる普通型コンバインを提供することを目的とする。【解決手段】オペレータが搭乗する運転部と、植立穀稈を刈り取る刈取部と、刈取穀稈を脱穀装置４に搬送するフィーダ５と、を備え、フィーダ５は、動力が入力される左右向きの入力軸１０を有し、入力軸１０に、手動で操作される工具１８が取り付け可能であると共に工具１８によって入力軸１０を人為的に逆回転操作可能な操作ナット１１が設けられ、操作ナット１１は、入力軸１０における運転部の側の端部に設けられ、かつ、フィーダ５から外部に露出する状態で設けられている。【選択図】図５
2014193115.tif 000002
【特許請求の範囲】
【請求項１】
オペレータが搭乗する運転部と、
植立穀稈を刈り取る刈取部と、
刈取穀稈を脱穀装置に搬送するフィーダと、を備え、
前記フィーダは、動力が入力される左右向きの入力軸を有し、
前記入力軸に、手動で操作される工具が取り付け可能であると共に前記工具によって前記入力軸を人為的に逆回転操作可能な操作部が設けられ、
前記操作部は、前記入力軸における前記運転部の側の端部に設けられ、かつ、前記フィーダから外部に露出する状態で設けられている普通型コンバイン。
【請求項２】
前記操作部は、前記入力軸に着脱可能に設けられている請求項１に記載の普通型コンバイン。
【請求項３】
前記入力軸における前記運転部の側の端部に、前記入力軸の軸心方向における端部側ほど径が小さい少なくとも二つの段部が形成され、
二つの前記段部のうち前記入力軸の軸心方向における中央部側の段部に、前記操作部が前記入力軸の軸心方向にスライド可能に設けられ、
二つの前記段部のうち前記入力軸の軸心方向における端部側の段部に、前記操作部を前記入力軸の軸心方向に締め付ける締付具が設けられている請求項２に記載の普通型コンバイン。
【請求項４】
前記入力軸における前記運転部の側の端部に、前記入力軸の軸心方向における端部側ほど径が小さい三つの段部が形成され、
三つの前記段部のうち前記入力軸の軸心方向における最も中央部側の段部に、前記入力軸を回動可能に支持するベアリングが設けられ、
前記ベアリングは、前記入力軸の軸心方向において前記操作部によって位置決めされている請求項３に記載の普通型コンバイン。
【請求項５】
前記フィーダは、前記刈取部と前記脱穀装置とを連通させるフィーダケースを有し、
前記フィーダケースにおける前記運転部の側の側部に、前記工具を収納可能な収納部が備えられている請求項１から４までの何れか一項に記載の普通型コンバイン。
【請求項６】
前記収納部は、前記フィーダケースにおける前記運転部の側の側部と、前記フィーダケースにおける前記運転部の側の側部に取り付けられ、前記フィーダケースにおける前記運転部の側の側部と協働して前記工具を挟持する板バネと、を有している請求項５に記載の普通型コンバイン。
【請求項７】
前記フィーダケースにおける前記運転部の側の側部に、前記工具を支持する支持部が、前記収納部とは別に設けられている請求項６に記載の普通型コンバイン。
【請求項８】
前記支持部は、前記工具に形成された孔に挿入可能なピンである請求項７に記載の普通型コンバイン。
【請求項９】
前記フィーダケースにおける前記運転部の側の側部に、側面視において前記フィーダの搬送方向と直交する方向に延びる補強用のチャンネル部材が、横外方側に開口する状態で連結され、
前記板バネは、前記チャンネル部材の開口内に設けられている請求項６から８までの何れか一項に記載の普通型コンバイン。
【発明の詳細な説明】
【技術分野】
【０００１】
本発明は、普通型コンバインに関する。より詳細には、刈取穀稈を脱穀装置に搬送するフィーダを備える普通型コンバインに関する。
【背景技術】
【０００２】
上記のような普通型コンバインとして、例えば、特許文献１に記載の普通型コンバインが既に知られている。特許文献１に記載の普通型コンバインにおいて、フィーダには、動力が入力される左右向きの入力軸（文献では「刈取り入力軸」に相当）が備えられている。特許文献１に記載の普通型コンバインでは、動力が正回転クラッチを介して入力軸に伝達されると、入力軸が正回転し、動力が逆回転クラッチを介して入力軸に伝達されると、入力軸が逆回転する。フィーダを逆回転させることにより、フィーダにおけるワラ詰まり等を解消することができる。
【先行技術文献】
【特許文献】
【０００３】
【特許文献１】特開２０１０−２３９９８０号公報
【発明の概要】
【発明が解決しようとする課題】
【０００４】
特許文献１に記載の普通型コンバインは、正回転クラッチとは別に逆回転クラッチを設ける必要があるため、コストアップとなる。
【０００５】
本発明は以上の如き状況に鑑みてなされたものであり、簡単かつ低コストな構造でフィーダを逆回転させることができる普通型コンバインを提供することを目的とする。
【課題を解決するための手段】
【０００６】
本発明の特徴は、オペレータが搭乗する運転部と、植立穀稈を刈り取る刈取部と、刈取穀稈を脱穀装置に搬送するフィーダと、を備え、前記フィーダは、動力が入力される左右向きの入力軸を有し、前記入力軸に、手動で操作される工具が取り付け可能であると共に前記工具によって前記入力軸を人為的に逆回転操作可能な操作部が設けられ、前記操作部は、前記入力軸における前記運転部の側の端部に設けられ、かつ、前記フィーダから外部に露出する状態で設けられていることにある。
【０００７】
本特徴構成によれば、逆回転クラッチに係る構成に代えて、入力軸の端部に、手動で操作される工具が取り付け可能な操作部を設け、工具によって入力軸を人為的に逆回転操作可能とすることにより、簡単かつ低コストな構造でフィーダを逆回転させることができる。また、操作部が入力軸における運転部の側の端部に設けられていることにより、操作部に工具を取り付ける際に、わざわざ運転部から降りなくても運転部に搭乗したままで、操作部に工具を取り付けることができる。その際、操作部がフィーダから外部に露出する状態で設けられていることにより、操作部の位置を確認し易い。つまり、フィーダの入力軸に設けられた操作部に、入力軸を逆回転操作するための工具を容易に取り付けることができる。
【０００８】
さらに、本発明において、前記操作部は、前記入力軸に着脱可能に設けられていると好適である。
【０００９】
本特徴構成によれば、操作部が摩耗や損傷した場合に、操作部を交換することができる。
【００１０】
さらに、本発明において、前記入力軸における前記運転部の側の端部に、前記入力軸の軸心方向における端部側ほど径が小さい少なくとも二つの段部が形成され、二つの前記段部のうち前記入力軸の軸心方向における中央部側の段部に、前記操作部が前記入力軸の軸心方向にスライド可能に設けられ、二つの前記段部のうち前記入力軸の軸心方向における端部側の段部に、前記操作部を前記入力軸の軸心方向に締め付ける締付具が設けられていると好適である。
【００１１】
本特徴構成によれば、入力軸の軸心方向にスライド可能に設けられた操作部を、締付具で締め付けることにより、操作部の抜け止めを行うことができると共に、締付具を緩めることにより、操作部を入力軸から取り外すことができる。つまり、操作部を入力軸に簡単に着脱することができる。
【００１２】
さらに、本発明において、前記入力軸における前記運転部の側の端部に、前記入力軸の軸心方向における端部側ほど径が小さい三つの段部が形成され、三つの前記段部のうち前記入力軸の軸心方向における最も中央部側の段部に、前記入力軸を回動可能に支持するベアリングが設けられ、前記ベアリングは、前記入力軸の軸心方向において前記操作部によって位置決めされていると好適である。
【００１３】
本特徴構成によれば、ベアリングが操作部で位置決めされることにより、ベアリングを位置決めするための専用の部材を設ける必要がないため、部品点数の削減が可能になる。
【００１４】
さらに、本発明において、前記フィーダは、前記刈取部と前記脱穀装置とを連通させるフィーダケースを有し、前記フィーダケースにおける前記運転部の側の側部に、前記工具を収納可能な収納部が備えられていると好適である。
【００１５】
本特徴構成によれば、操作部と収納部とが同じ運転部の側に位置することにより、工具の使用箇所と工具の収納箇所とが近接するため、工具を収納部から取り出して使用する際、及び工具の使用後に収納部に収納する際に便利である。
【００１６】
さらに、本発明において、前記収納部は、前記フィーダケースにおける前記運転部の側の側部と、前記フィーダケースにおける前記運転部の側の側部に取り付けられ、前記フィーダケースにおける前記運転部の側の側部と協働して前記工具を挟持する板バネと、を有していると好適である。
【００１７】
本特徴構成によれば、フィーダケースの側部を収納部の一部として利用することにより、板バネを新たに設けるだけで、収納部を簡単に構成することができる。
【００１８】
さらに、本発明において、前記フィーダケースにおける前記運転部の側の側部に、前記工具を支持する支持部が、前記収納部とは別に設けられていると好適である。
【００１９】
本特徴構成によれば、工具が収納部に収納された状態において、収納部と支持部との二箇所で支持されるため、工具の収納姿勢が安定する。したがって、工具が収納部に収納された状態において、フィーダが駆動しても、工具が不意に外れ落ちることがない。
【００２０】
さらに、本発明において、前記支持部は、前記工具に形成された孔に挿入可能なピンであると好適である。
【００２１】
本特徴構成によれば、工具に形成された孔に挿入可能なピンを設けるだけで、支持部を簡単に構成することができる。
【００２２】
さらに、本発明において、前記フィーダケースにおける前記運転部の側の側部に、側面視において前記フィーダの搬送方向と直交する方向に延びる補強用のチャンネル部材が、横外方側に開口する状態で連結され、前記板バネは、前記チャンネル部材の開口内に設けられていると好適である。
【００２３】
本特徴構成によれば、板バネをチャンネル部材の開口内に設けることにより、板バネをフィーダケースにおける運転部の側の側部に、コンパクトに取り付けることができる。
【図面の簡単な説明】
【００２４】
【図１】コンバインの前部を示す側面図である。
【図２】フィーダを示す平面断面図である。
【図３】フィーダを示す側面図である。
【図４】収納部を示す正面断面図である。
【図５】フィーダの後端部を示す平面断面図である。
【図６】操作ナットに工具を取り付けた状態を示す側面図である。
【図７】脱穀装置の前部を示す正面断面図である。
【発明を実施するための形態】
【００２５】
以下、本発明を実施するための形態について図面に基づき説明する。
【００２６】
先ず、コンバインの全体構成について、図１により説明する。
【００２７】
図１には、稲や麦等の作物を収穫するコンバインの一例として、普通型コンバインを示している。コンバインにおける前部には、植立穀稈を刈り取る刈取部１が設けられている。刈取部１の後方には、圃場を走行可能なクローラ式の走行装置２が設けられている。走行装置２の上部には、機体フレーム３が設けられている。
【００２８】
機体フレーム３上における左側には、刈取穀稈を脱穀する脱穀装置４が設けられている。刈取部１の後方には、刈取部１からの刈取穀稈を脱穀装置４に搬送するフィーダ５が設けられている。機体フレーム３上における右側前部には、オペレータが搭乗する運転部６が設けられている。機体フレーム３上における右側後部には、脱穀後の穀粒を貯留する穀粒貯留部（図示省略）が設けられている。前記穀粒貯留部は、タンク式であってもよいし、ホッパ式であってもよい。
【００２９】
以上のような構成により、コンバインは、走行装置２で圃場を走行しながら、刈取部１で植立穀稈を刈り取り、刈取穀稈をフィーダ５で脱穀装置４に搬送し、刈取穀稈を脱穀装置４で脱穀する。
【００３０】
次に、フィーダ５について、図２から図５により説明する。
【００３１】
図２に示すように、フィーダ５には、刈取部１と脱穀装置４とを連通させるフィーダケース７が備えられている。フィーダケース７の前端部（入口側端部）には、従動回動体８が回動可能に設けられている。フィーダケース７の後端部（出口側端部）には、駆動回動体９が回動可能に設けられている。駆動回動体９は、動力が入力される左右向きの入力軸１０に設けられている。従動回動体８と駆動回動体９とには、搬送チェーン１２が巻き付けられている。入力軸１０には、操作ナット１１（本発明に係る「操作部」に相当）が設けられている。駆動回動体９及び従動回動体８が回動することにより、刈取穀稈が搬送チェーン１２で脱穀装置４に搬送される。
【００３２】
図２及び図３に示すように、フィーダケース７の右側部（フィーダケース７における運転部６の側の側部）には、補強用のチャンネル部材１７が連結されている。チャンネル部材１７は、側面視においてフィーダ５の搬送方向（長手方向）と直交する方向に延びている。チャンネル部材１７は、右横外方側に開口する状態でフィーダケース７の右側部に溶接で連結されている。フィーダケース７の右側部には、工具１８を収納可能な詳しくは後述する収納部１９が備えられている。
【００３３】
工具１８は、スパナ状の工具である。具体的には、工具１８は、口部３０と、ハンドル部３１と、を備えている。
【００３４】
口部３０は、操作ナット１１に取り付け可能な部分である。つまり、操作ナット１１は、詳しくは後述するように、例えば、六角ナットで構成されているところ、口部３０は、六角ナットに取り付け可能な形状に形成されている。口部３０の開口部内には、口部３０を補強するための板３０ａが溶接で連結されている。
【００３５】
ハンドル部３１は、棒状の平板で構成されている。ハンドル部３１の先端部には、口部３０が溶接で連結されている。ハンドル部３１の基端部には、丸孔３１ａ（本発明に係る「孔」に相当）（図５参照）が形成されている。
【００３６】
図５に示すように、フィーダケース７の後端部には、左右一対のボス部１３が設けられている。左右一対のボス部１３は、フィーダケース７の後端部における左右両側部から左右横外方に突出している。左右一対のボス部１３は、左右一対のベアリング１４を介して入力軸１０を回動可能に支持している。左右一対のボス部１３における左右横外方に突出している部分は、左右一対のブラケット１５に揺動可能に支持されている。左右一対のブラケット１５は、脱穀装置４の前部にボルト１６で連結されている。
【００３７】
入力軸１０の左端部（入力軸１０における運転部６とは反対側の端部）は、左右一対のボス部１３のうち左側のボス部１３から左横外方に突出している。入力軸１０の左端部における左横外方への突出部分には、左側から順に、入力プーリ２０、出力スプロケット２１が設けられている。入力プーリ２０には、脱穀装置４に備えられた唐箕２４（図１参照）の動力を入力軸１０に伝達するためのベルト２２が巻き付けられている。出力スプロケット２１には、入力軸１０の動力を刈取駆動軸２５（図１参照）に伝達するためのチェーン２３が巻き付けられている。
【００３８】
入力軸１０の右端部（入力軸１０における運転部６の側の端部）は、左右一対のボス部１３のうち右側のボス部１３から右横外方に突出している。入力軸１０の右端部には、右端部側（入力軸１０の軸心方向における端部側）ほど径が小さい三つの段部２６、２７、２８が形成されている。三つの段部２６、２７、２８は、右側から順に、小径部２６、中径部２７、大径部２８で構成されている。
【００３９】
大径部２８は、三つの段部２６、２７、２８のうち左右方向（入力軸１０の軸心Ｘ方向）における最も中央部側（入力軸１０の中央部側）、つまり、最も左端部側の段部である。大径部２８は、三つの段部２６、２７、２８のうち最も径が大きい。大径部２８には、入力軸１０を回動可能に支持する左右一対のベアリング１４のうち右側のベアリング１４が設けられている。ベアリング１４は、左右方向において止め輪１４ａによって位置決めされている。
【００４０】
中径部２７は、三つの段部２６、２７、２８のうち小径部２６と大径部２８との間の段部である。中径部２７は、入力軸１０の右端部における右横外方への突出部分に形成されている。中径部２７は、三つの段部２６、２７、２８のうち大径部２８よりも径が小さく、かつ、小径部２６よりも径が大きい。中径部２７には、操作ナット１１が左右方向にスライド可能に設けられている。具体的には、操作ナット１１は、中径部２７に異形嵌合（例えば、キー嵌合等）されている。つまり、操作ナット１１は、入力軸１０に対して相対回動不能に設けられている。中径部２７には、キー溝２７ａが形成されている。
【００４１】
小径部２６は、三つの段部２６、２７、２８のうち左右方向における最も端部側、つまり、最も右端部側の段部である。小径部２６は、入力軸１０の右端部における右横外方への突出部分に形成されている。小径部２６は、三つの段部２６、２７、２８のうち最も径が小さい。小径部２６には、締付ナット２９（本発明に係る「締付具」に相当）が設けられている。具体的には、締付ナット２９は、小径部２６にねじ嵌めされている。小径部２６には、ねじ加工が施されている。締付ナット２９は、操作ナット１１を左右方向に締め付けている。つまり、操作ナット１１は、左右方向に締付ナット２９と大径部２８とで挟み込み固定されている。
【００４２】
次に、操作ナット１１について、図５及び図６により説明する。
【００４３】
図５及び図６に示すように、操作ナット１１は、手動で操作される工具１８が取り付け可能なものである。操作ナット１１に工具１８が取り付けられることにより、工具１８によって入力軸１０を人為的に逆回転操作可能となる。操作ナット１１は、例えば、六角ナットで構成されている。操作ナット１１は、入力軸１０に着脱可能に設けられている。つまり、左右方向にスライド可能に設けられた操作ナット１１を、締付ナット２９で締め付けることにより、操作ナット１１の抜け止めを行うことができると共に、締付ナット２９を緩めることにより、操作ナット１１を入力軸１０から取り外すことができる。操作ナット１１は、入力軸１０の右端部に設けられ、かつ、フィーダ５から外部に露出する状態で設けられている。つまり、操作ナット１１は、左右一対のボス部１３のうち右側のボス部１３から右横外方に突出している。
【００４４】
以上のような構成により、入力軸１０を逆回転操作するには、工具１８の口部３０を操作ナット１１に取り付けた後（図６参照）、工具１８を引き上げる（図３に示す矢印Ｂ方向）ことにより、入力軸１０ひいてはフィーダ５が逆回転する。このとき、工具１８を引き上げても、脱穀装置４の前部を覆う外装カバー３６に切欠部３６ａ（図７参照）が形成されていることにより、工具１８が脱穀装置４と干渉することがない。
【００４５】
次に、収納部１９について、図２から図４により説明する。
【００４６】
図２から図４に示すように、収納部１９は、チャンネル部材１７と、板バネ３２と、を備えている。板バネ３２は、フィーダケース７の右側部、具体的には、フィーダケース７の右側部における上部に取り付けられている。板バネ３２は、チャンネル部材１７の開口内に設けられている。板バネ３２は、チャンネル部材１７及びフィーダケース７の右側部にボルト３３で連結されている。板バネ３２は、チャンネル部材１７と協働して工具１８（ハンドル部３１）を挟持する。つまり、板バネ３２とチャンネル部材１７の開口両端部１７ａとで、工具１８が挟持される。工具１８は、側面視において、フィーダ５の搬送方向（長手方向）と略平行な姿勢で収納されている。
【００４７】
また、フィーダケース７の右側部には、工具１８を支持する丸ピン３４（本発明に係る「支持部」、「ピン」に相当）が、収納部１９とは別に設けられている。丸ピン３４は、工具１８のハンドル部３１に形成された丸孔３１ａに挿入可能なピンである。丸ピン３４は、フィーダケース７の右側部に溶接で連結されている。フィーダケース７の右側部には、丸ピン３４を支持するための略Ｌ字形状のステー３５が溶接で連結されている。丸ピン３４とステー３５とも、溶接で連結されている。
【００４８】
以上のような構成により、入力軸１０の逆回転操作をする場合、工具１８を収納部１９から取り出す。具体的には、丸ピン３４を支点にして、工具１８を引き上げる（図３に示す矢印Ａ方向）ことにより、工具１８を収納部１９から取り出す。
【００４９】
以下、本発明に係る別実施形態について説明する。
【００５０】
（１）上記実施形態において、操作ナット１１は、入力軸１０に着脱可能に設けられているが、操作ナット１１は、入力軸１０に一体成形されていてもよい。
【００５１】
（２）上記実施形態において、「操作部」は、操作ナット１１であるが、「操作部」は、工具を取り付け可能な取付孔を有するものでもよい。また、操作ナット１１は、六角ナット以外の角ナット（例えば、四角ナット等）でもよい。
【００５２】
（３）上記実施形態において、入力軸１０には、三つの段部２６、２７、２８が形成されているが、入力軸１０には、二つ又は四つ以上の段部が形成されていてもよい。
【００５３】
（４）上記実施形態において、収納部１９は、フィーダケース７の右側部に設けられているが、収納部１９は、フィーダケース７の左側部又は上面部又は下面部に設けられていてもよい。
【００５４】
（５）上記実施形態において、「支持部」は、丸ピン３４であるが、「支持部」は、単なる受け部又は角ピンでもよい。なお、「支持部」が角ピンの場合、工具１８には、丸孔３１ａに代えて角孔が形成されることになる。
【００５５】
（６）上記実施形態において、ベアリング１４は、止め輪１４ａによって位置決めされているが、ベアリング１４は、操作ナット１１によって位置決めされていてもよい。
【産業上の利用可能性】
【００５６】
本発明は、刈取穀稈を脱穀装置に搬送するフィーダを備える普通型コンバインに利用可能である。
【符号の説明】
【００５７】
１  刈取部
４  脱穀装置
５  フィーダ
６  運転部
７  フィーダケース
１０  入力軸
１１  操作ナット（操作部）
１４  ベアリング
１７  チャンネル部材
１８  工具
１９  収納部
２６  小径部（段部）
２７  中径部（段部）
２８  大径部（段部）
２９  締付ナット（締付具）
３１ａ  丸孔（孔）
３２  板バネ
３４  丸ピン（支持部、ピン）
【図１】
2014193115.tif 000003
【図２】
2014193115.tif 000004
【図３】
2014193115.tif 000005
【図４】
2014193115.tif 000006
【図５】
2014193115.tif 000007
【図６】
2014193115.tif 000008
【図７】
2014193115.tif 000009